(57)【要約】【課題】  遊技場システムのランニングコストを大幅に削減するとともに、データ管理上の不都合を回避でき、かつ、釘調整に必要な正確な割数を算出可能とする。【解決手段】  貸出機２０のカード挿入口２２に挿入されたカードからカード識別データが読み取られる。次いで、現金投入口２１に投入された現金の金種が識別され投入金額が記憶される。さらに、遊技媒体の貸出金額が記憶される。カード返却の際、演算部３９で、投入金額と貸出金額にもとづいて残金額が算出され、さらに当日精算貯玉数が算出されて管理コンピュータ５０へ送信される。管理コンピュータ５０の記憶部５１で、当日精算貯玉数が記憶される。【選択図】    図６
2005198838.tif 000002
【特許請求の範囲】
【請求項１】
投入された現金の金額から遊技により使用された貸出金額を引いた残金を遊技媒体貸出単価で割り、遊技用カードから読み取った識別データに関連付けて精算貯玉する
ことを特徴とする遊技場システム。
【請求項２】
前記遊技場システムは、遊技媒体貸出機と管理コンピュータとを備え、
前記遊技媒体貸出機は、
投入された遊技用カードから、この遊技用カードを識別する識別データを読み取るカード読取部と、
前記現金の投入金額から前記貸出金額を減算し、この減算により得られた値を前記遊技媒体貸出単価で除算し、この除算により得られた値を当日精算貯玉数とする精算貯玉算出部とを有し、
前記管理コンピュータは、
前記遊技媒体貸出機で前記遊技用カードが返却される際、前記当日精算貯玉数を前記識別データと関連付けて記憶する
ことを特徴とする請求項１記載の遊技場システム。
【請求項３】
前記遊技媒体貸出機は、
投入された前記遊技用カードを保持するカード保持部と、
前記遊技用カードを返却するための操作が行われるカード返却操作部と、
このカード返却操作部からのカード返却指示にもとづき、前記カード保持部から前記遊技用カードを取り出して返却口へ送るカード返却機構部と、
前記カード返却指示にもとづき、前記当日精算貯玉数と前記識別データとを前記遊技媒体貸出機へ送信する貸出機送信部とを有し、
前記管理コンピュータは、
前記当日精算貯玉数及び／又は前記識別データを受信する受信部と、
前記当日精算貯玉数を前記識別データと関連付けて記憶する記憶部とを有した
ことを特徴とする請求項２記載の遊技場システム。
【請求項４】
前記管理コンピュータは、前記記憶部に前記識別データが登録されているか否かを判断する制御部を有し、
この制御部は、前記識別データが前記記憶部に登録されていないと判断すると、前記識別データをビジタ用カードについての識別データとして前記記憶部に登録させる
ことを特徴とする請求項１〜３のいずれかに記載の遊技場システム。
【請求項５】
会員登録用画面を表示するとともに、前記会員登録用画面の表示内容に関する会員登録用データを入力可能な表示機を有し、
前記管理コンピュータは、前記会員登録用データにもとづいて、前記ビジタ用カードを所持する遊技者を会員として登録する
ことを特徴とする請求項１〜４のいずれかに記載の遊技場システム。
【請求項６】
前記管理コンピュータの前記記憶部は、
前記当日精算貯玉数と、遊技により獲得した遊技媒体による貯玉数と、日付けの変更にもとづいて更新された当日外精算貯玉数とを記憶する
ことを特徴とする請求項３〜５のいずれかに記載の遊技場システム。
【請求項７】
前記管理コンピュータは、
前記当日精算貯玉の全部又は一部が景品に交換された場合、前記当日精算貯玉の示す遊技媒体の数量と前記景品交換された遊技媒体の数量とを、割数計算に反映させない割数計算処理部を有した
ことを特徴とする請求項１〜６のいずれかに記載の遊技場システム。
【請求項８】
前記管理コンピュータは、
前記当日精算貯玉により遊技が行われた場合、該遊技に用いられた前記当日精算貯玉の数量に相当する金額を、再プレイ売上ではなく現金売上として処理する売上管理処理部を有した
ことを特徴とする請求項１〜７のいずれかに記載の遊技場システム。
【請求項９】
投入された現金の金額から遊技により使用された貸出金額を減算した残金を遊技媒体貸出単価で除算する演算処理を実行する演算部と、
前記除算で得られた値を当日精算貯玉数として管理コンピュータへ送信する送信部とを備えた
ことを特徴とする遊技媒体貸出機。
【請求項１０】
現金の投入金額から貸出金額を減算した値を遊技媒体貸出単価で除算して得られる当日精算貯玉数と、遊技により獲得した遊技媒体による景品貯玉数と、日付けの変更にもとづいて更新された当日外精算貯玉数とを記憶する記憶手段と、
前記当日精算貯玉数、前記景品貯玉数、前記当日外精算貯玉数のうち一又は二以上を用いて所定の処理を実行する制御手段とを備えた
ことを特徴とする管理コンピュータ。
【請求項１１】
投入された現金の金額から遊技により使用された貸出金額を引いた残金を遊技媒体貸出単価で割り、遊技用カードから読み取った識別データに関連付けて精算貯玉する
ことを特徴とする遊技データ管理方法。
【請求項１２】
遊技媒体貸出機が、カード読取部で、投入された遊技用カードから、この遊技用カードを識別する識別データを読み取り、
精算貯玉算出部で、前記現金の投入金額から前記貸出金額を減算し、この減算により得られた値を前記遊技媒体貸出単価で除算し、この除算により得られた値を当日精算貯玉数とし、
管理コンピュータが、前記遊技媒体貸出機で前記遊技用カードが返却される際、前記当日精算貯玉数を前記識別データと関連付けて記憶する
ことを特徴とする請求項１１記載の遊技データ管理方法。
【請求項１３】
投入された現金の金額から遊技により使用された貸出金額を引いた残金を遊技媒体貸出単価で割り、遊技用カードから読み取った識別データに関連付けて精算貯玉する処理を遊技場システムに実行させる
ことを特徴とする遊技データ管理プログラム。
【請求項１４】
投入された遊技用カードから、この遊技用カードを識別する識別データを読み取り、前記現金の投入金額から前記貸出金額を減算し、この減算により得られた値を前記遊技媒体貸出単価で除算し、この除算により得られた値を当日精算貯玉数とする処理を遊技媒体貸出機に実行させ、
前記遊技媒体貸出機で前記遊技用カードが返却される際、前記当日精算貯玉数を前記識別データと関連付けて記憶する処理を管理コンピュータに実行させる
ことを特徴とする請求項１３記載の遊技データ管理プログラム。
【発明の詳細な説明】
【技術分野】
【０００１】
本発明は、遊技者や遊技実績等に関するデータを収集・管理する遊技場システム、この遊技場システムに備えられた遊技媒体貸出機及び管理コンピュータ、その遊技場システムで実行される遊技データ管理方法及び遊技データ管理プログラムに関し、特に、遊技者が獲得した遊技媒体を景品貯玉することが可能な遊技場システム、遊技媒体貸出機、管理コンピュータ、遊技データ管理方法及び遊技データ管理プログラムに関する。
【背景技術】
【０００２】
パチンコ機やスロットマシン等に代表される遊技機が複数配置された遊技ホールにおいては、プリペイドカードを発行するためのカード発行機が島端などに設置されていることが多い。
カード発行機は、現金が投入され、金額選択ボタンが押されると、その選択された金額と同じ金額を記憶したプリペイドカードを発行する。
【０００３】
また、遊技ホールにおいては、パチンコ玉やメダルなどの遊技媒体を遊技者に貸し出すための遊技媒体貸出機が設置されている。
この遊技媒体貸出機は、遊技者によりプリペイドカードが挿入されると、この挿入されたプリペイドカードに記憶されている金額の範囲内に応じた量（あるいは、入力キーにより指定された量）の遊技媒体を払い出す装置である。この遊技媒体貸出機は、近年では、遊技機と遊技機との間にいわゆる台間機として設置されることが多い。
【０００４】
さらに、遊技ホールの中には、カード発行当日又は入金当日に限りカードの残金を精算する精算機を備えたところもある。
遊技者がカードを購入し（又は、カードに入金し）、その一部の金額のみ遊技媒体の貸し出しに使用し、大当たりが出るなどして、そのカードに未使用分が残った場合、遊技者は、そのカードの購入当日（又は、カードへの入金当日）に限り、その未使用分を精算機により現金に精算できる。
【０００５】
さらに、遊技ホールにおいては、会員用カードを発行するための会員用カード発行機が備えられている。
会員用カードは、会員登録した遊技者に対して発行される登録証であり、通常、会員番号や店番号などが記録されている。そして、会員登録を受けた遊技者に関するデータ（会員データ）が、管理コンピュータで管理されている。
【０００６】
会員用カードのメリットとしては種々あるが、特徴的なものとしては、貯玉（貯メダルを含む）による再プレイが可能である点が挙げられる。
遊技者により獲得された遊技媒体は、遊技媒体計数機で計数されると、貯玉として蓄積（ストック、保管）しておくことができる。そして、後日、その貯玉を用いて遊技することが可能となっている（再プレイ）。
【０００７】
また、プリペイドカード（前払式証票）の発行やカードに入金（課金）された金額などを管理するシステムが導入された遊技ホールでは、そのシステムを当該遊技ホール以外の会社（第三者管理会社）に管理させなければならないことになっている（プリペイドカードの発行システムについては、「第三者型発行」となる）。これにより、高額入金の未使用分のお釣りを店内で精算できる。
【０００８】
こうした中、従来の遊技ホールにおいては、現金で遊技するためにカード発行機等を備えてプリペイドカードを発行するシステムと、会員管理や再プレイ等を行うために会員用カード発行機や会員管理コンピュータ等を備えて会員用カードを発行するシステムとが、それぞれ別々に構築されていた。このため、ランニングコストがかかるとともに、設備メンテナンスの費用も負担しなければならなかった。
【０００９】
そこで、一枚のカードで、プリペイドカードの機能と会員用カードの機能とを兼ね備えることを可能とした遊技場システムが提案されている。
たとえば、投入された現金をカードに課金する貸玉機と、課金されたカードが挿入され遊技媒体の数量が入力されると、その入力された数量の遊技媒体を払い出す台間貸出機と、遊技者により獲得された遊技媒体の数量を計数する遊技媒体計数機と、それら貸玉機，台間貸出機，計数機から所定のデータを受信・収集する管理コンピュータとを有した遊技場システムがある（例えば、特許文献１参照。）。
【００１０】
この遊技場システムにおいては、管理コンピュータが、貸玉機に投入された現金に関する情報を、その貸玉機に挿入されたカードから読み取った情報と対応させ、貸玉貯玉（現金貯玉）として記憶・管理するとともに、遊技媒体計数機に投入された遊技媒体の計数結果を、その遊技媒体計数機に挿入されたカードから読み取った情報と対応させ、景品貯玉として記憶・管理し、かつ、台間貸出機で入力された遊技媒体の貸出数を示す貸出情報を入力し、その貸出数が貸玉貯玉又は景品貯玉の範囲内であれば、貸出命令を台間貸出機へ送ることとしてある。
【００１１】
この従来の遊技場システムによれば、一枚のカードで、現金による遊技を行うこともでき、また、貯玉（貯メダル）を用いた遊技（再プレイ）を行うこともできる。つまり、使用されていたカードが二種類から一種類に減ることになるため、ホール側にとっては、カードの管理にかかるランニングコストを抑えることができ、しかも、メンテナンスが容易となる。
【特許文献１】特許第２８７８６７５号公報
【発明の開示】
【発明が解決しようとする課題】
【００１２】
しかしながら、特許文献１に記載の発明を実施して減額されるランニングコストは、カード一種類を管理する費用分にしかすきず、これは、遊技ホールが支出するランニングコスト全体から見てわずかな額であった。しかも、カード発行機や精算機などについては依然使用しなければならないため、カードの管理費用よりも高額となるそれら設備面のランニングコストは引き続き遊技ホール側の大きな負担となっていた。
【００１３】
さらに、遊技ホール側は、第三者管理会社に対してシステム管理費を支払わなければならなかった。このシステム管理費は、遊技ホールが支出するランニングコストの中で比較的大きな割合を占めるものであった。
このため、そのシステム管理費を削減できるとすれば、支出されるランニングコストの大幅な減額が可能となり、遊技ホール側の大きなメリットとなる。
ところが、従来の遊技場システム（特に、管理コンピュータ）で現金の管理が行われている以上（つまり、遊技媒体貸出機やカード発行機等と管理コンピュータとの間で、現金に関するデータのやりとりが行われている以上）、遊技ホール側には、その遊技場システムを第三者管理会社に管理させる義務が生じ、ひいては高額なシステム管理費の支出を余儀なくされる状況にあった。
【００１４】
しかも、システム管理費の支払いを取りやめることは、すなわち、第三者管理会社が管理していたプリペイドカードの発行システムや、カードへの入金管理システムを使用せずに営業を続けることを意味する。そうすると、プリペイドカードを用いた遊技やカードへの入金・課金といった遊技者へのサービスが提供できなくなるという懸念が生じる。
そこで、遊技ホール側としては、従来の遊技場システムで提供していたサービスをそのまま提供可能としながらも、管理コンピュータでの現金管理をなくしてシステム管理費の削減を可能とするシステムの構築を求めていた。
【００１５】
また、従来の遊技場システムにおいては、貸玉機で現金が投入されると、この現金の金額（金種）が識別され、入金信号が管理コンピュータへ送信されていた。そして、管理コンピュータでは、受信した入金信号の示す金額（金種）に相当する遊技媒体の数量が貸玉貯玉（現金貯玉）として扱われていた。つまり、入金即貯玉としていた。このため、台間貸出機で遊技媒体が払い出されると、管理コンピュータでは、貸玉貯玉が減算され、再プレイとして扱われていた。
このように、現金による遊技であっても、管理コンピュータでは再プレイとして処理されるため、データ管理に不都合が生じていた。
【００１６】
さらに、貸玉貯玉を景品に交換した場合、この景品交換分の貯玉についても景品割数の計算に反映させていたため、正確な割数を算出できなかった。
現金の未使用分を貸玉貯玉とし、この貸玉貯玉の全部又は一部を景品に交換した場合において、この景品分の貯玉に相当する金額を割数（景品金額／売上金額）の景品金額に含めてしまうと、その現金貯玉は遊技結果の貯玉ではないため、営業の割数計算に入れるべきではなかった。
【００１７】
一方、貸玉貯玉に相当する金額を売上金額に含めて割数を算出した場合は、貸玉貯玉のうちの景品分が景品金額に含まれておらず、かつ、貸玉貯玉自体が売上ではないため、この場合も割数が間違った値で算出されていた。
さらに、景品分の貯玉に相当する金額を景品金額に含め、かつ、貸玉貯玉に相当する金額を売上金額に含めて割数を算出した場合は、割数が低下してしまい、釘調整に必要な割数の算出が困難となっていた。
そこで、このような事態を回避して割数を正確に算出することのできる技術の提案が求められていた。
【００１８】
しかも、従来の遊技場システムにおいては、貸玉貯玉を使用すると、再プレイとなり、補正売上が発生していた。
ところが、貸玉貯玉は、投入された現金で当日遊技を行うための管理上の貯玉であった。このため、前日以前に蓄積した貯玉で遊技する再プレイとは異なるものであり、管理上問題があった。
【００１９】
本発明は、上記の事情にかんがみなされたものであり、ランニングコストの大幅な削減を可能とするとともに、データ管理上の不都合を回避でき、かつ、釘調整に必要な割数を正確に算出可能とする遊技場システム、遊技媒体貸出機、管理コンピュータ、遊技データ管理方法及び遊技データ管理プログラムの提供を目的とする。
【課題を解決するための手段】
【００２０】
この目的を達成するため、本発明の遊技場システムは、投入された現金の金額から遊技により使用された貸出金額を引いた残金を遊技媒体貸出単価で割り、遊技用カードから読み取った識別データに関連付けて精算貯玉する構成としてある。
遊技場システムをこのような構成とすると、お釣りを貯玉で精算できる。つまり、投入された現金の金額から遊技媒体の貸出金額を減額して残金を求め、この残金を遊技媒体貸出単価で除算して得られた値を貯玉として記憶しておく。これにより、お釣り分については貯玉として景品に交換することができる。
【００２１】
そして、お釣りの貯玉精算が可能となることで、遊技場システムを構成する各装置間での現金に関するデータのやりとりが不要となる。したがって、その遊技場システムの管理を第三者管理会社に行わせる必要がなくなり、その第三者管理会社に対するシステム管理費の支払いが不要となることから、遊技ホール側のランニングコストを大幅に削減できる。
なお、本発明において「精算貯玉」とは、投入金額から貸出金額を減算し、この差（残金）を遊技媒体貸出単価で除算して得た値（当日精算貯玉）を貸出単価と等価価値の貯玉とすることをいう。
【００２２】
また、本発明の遊技場システムは、遊技媒体貸出機と管理コンピュータとを備え、遊技媒体貸出機は、投入された遊技用カードから、この遊技用カードを識別する識別データを読み取るカード読取部と、現金の投入金額から貸出金額を減算し、この減算により得られた値を遊技媒体貸出単価で除算し、この除算により得られた値を当日精算貯玉数とする精算貯玉算出部とを有し、管理コンピュータは、遊技媒体貸出機で遊技用カードが返却される際、当日精算貯玉数を識別データと関連付けて記憶する構成としてある。
【００２３】
遊技場システムをこのような構成とすれば、遊技媒体貸出機から管理コンピュータへ送信されるデータを、現金のデータではなく、貯玉のデータとすることができる。
現金による遊技が行われる場合、遊技媒体貸出機においては、カードが返却されるまでは、投入金額や貸出金額が記憶（蓄積）され、その返却時には、それら投入金額や貸出金額にもとづいて貯玉分（当日精算貯玉数）が算出されて管理コンピュータへ送信される。
このように、遊技媒体貸出機と管理コンピュータとの間では現金データのやりとりがなく、しかも、管理コンピュータでは現金データの管理がなされないため、その遊技場システムを第三者管理会社に管理させる必要がなくなる。このことから、遊技ホール側は、高額のシステム管理費を第三者管理会社に支払う必要がなくなり、ランニングコストを大幅に削減できる。
【００２４】
しかも、遊技媒体貸出機で遊技媒体が貸し出されても、ただちに管理コンピュータで貯玉から引き落とされることがないため、その引き落としによる当日精算貯玉数の減算分が再プレイとして扱われることがなくなる。したがって、管理コンピュータにおけるデータ管理上の不都合を解消できる。
【００２５】
さらに、遊技媒体貸出機においては、現金投入により遊技媒体が貸し出されるため、現金による遊技が可能となる。そして、カード返却時には、投入金額と貸出金額にもとづき当日精算貯玉数が算出され、カードから読み取られた識別データに関連付けて管理コンピュータで記憶される。しかも、その後は、管理コンピュータで記憶された貯玉による遊技（再プレイ）も可能である。
このため、現金による遊技と貯玉による遊技とを一枚のカード（遊技媒体貸出機に挿入されたカード）で行うことができる。これにより、従来の遊技場システムが提供していたサービスをそのまま遊技者に提供できる。
【００２６】
しかも、一台の遊技媒体貸出機において、現金による遊技と貯玉による遊技とが可能となるため、従来の入金機（課金機）が不要となる。さらに、お釣りが貯玉で精算されるため、従来の精算機もいらなくなる。したがって、それら入金機や精算機に要していた設備面のランニングコストを削減できる。
さらに、お釣りが貯玉で精算されることで従来の精算機がいらなくなるため、遊技者は、遊技が終わってカウンタへ行くと、獲得した遊技媒体の数量に相当する景品を受け取るとともに、そのカウンタでお釣りに相当する景品を受け取ることができる。つまり、遊技者にとっては、カウンタで景品を受け取って一箇所で交換できることから、精算機にもカウンタにも両方行くという手間を省くことができる。
【００２７】
また、本発明の遊技場システムは、遊技媒体貸出機が、投入された遊技用カードを保持するカード保持部と、遊技用カードを返却するための操作が行われるカード返却操作部と、このカード返却操作部からのカード返却指示にもとづき、カード保持部から遊技用カードを取り出して返却口へ送るカード返却機構部と、カード返却指示にもとづき、当日精算貯玉数と識別データとを遊技媒体貸出機へ送信する貸出機送信部とを有し、管理コンピュータが、当日精算貯玉数及び／又は識別データを受信する受信部と、当日精算貯玉数を識別データと関連付けて記憶する記憶部とを有した構成としてある。
【００２８】
遊技場システムをこのような構成とすると、カードが返却される場合に、当日精算貯玉数と識別データとが遊技媒体貸出機から管理コンピュータへ送信され、それら当日精算貯玉数と識別データとを関連付けて管理コンピュータに記憶させることができる。
このように、遊技媒体貸出機と管理コンピュータとの間で送受信されるデータは現金に関するものではなく、しかも管理コンピュータで記憶・管理されるデータも現金に関するものではないため、遊技ホール側は、その遊技場システムを第三者管理会社に管理させる必要がなくなり、システム管理費を削減できる。
【００２９】
また、本発明の遊技場システムは、管理コンピュータが、記憶部に識別データが登録されているか否かを判断する制御部を有し、この制御部は、識別データが記憶部に登録されていないと判断すると、識別データをビジタ用カードについての識別データとして記憶部に登録させる構成としてある。
遊技場システムをこのような構成とすれば、会員登録とは別に、ビジタ用カードによる登録が可能となる。このため、そのビジタ用カードによる高額紙幣を使用した遊技も可能となり、遊技者へのサービス向上を図ることができる。
そして、ビジタ用カードの使用者に対するサービスの向上により、そのビジタ用カードの利用者の増加を見込むことができ、しかも、景品交換時等において、会員募集を行うことができるため、集客効果を期待できる。
【００３０】
また、本発明の遊技場システムは、会員登録用画面を表示するとともに、会員登録用画面の表示内容に関する会員登録用データを入力可能な表示機を有し、管理コンピュータは、会員登録用データにもとづいて、ビジタ用カードを所持する遊技者を会員として登録する構成としてある。
遊技場システムをこのような構成とすると、ビジタである遊技者（会員登録していない遊技者）が会員登録をしたい場合には、ビジタ用カードを用い、かつ、表示機上で所定の操作を行うことで、その登録を受けることができる。
【００３１】
また、本発明の遊技場システムは、管理コンピュータの記憶部が、当日精算貯玉数と、遊技により獲得した遊技媒体による貯玉数と、日付けの変更にもとづいて更新された当日外精算貯玉数とを記憶する構成としてある。
遊技場システムをこのような構成とすれば、管理コンピュータは、種々のデータを貯玉で管理できる。つまり、管理コンピュータにおいては、入金金額や投入金額など現金をそのまま示すデータが管理されなくなる。したがって、遊技ホール側は、その管理コンピュータを含む遊技場システムを第三者管理会社に管理させる必要がなくなり、高額のランニングコストの支出を抑制できる。
【００３２】
さらに、「当日精算貯玉数」と「当日外精算貯玉数」とをそれぞれ別個に管理可能とすることで、当日精算貯玉数による遊技については売上として、当日外精算貯玉数による遊技については再プレイとして扱うことができる。
しかも、遊技媒体の貸出時と精算時とで換金率が異なる場合に、それら換金率にもとづき個別に処理できる。ただし、それら換金率が同じ場合は、「当日精算貯玉数」と「当日外精算貯玉数」とを分けることなく「精算貯玉数」として一律管理することもできる。
【００３３】
また、本発明の遊技場システムは、管理コンピュータが、当日精算貯玉の全部又は一部が景品に交換された場合、当日精算貯玉の示す遊技媒体の数量と景品交換された遊技媒体の数量とを、割数計算に反映させない割数計算処理部を有した構成としてある。
遊技場システムをこのような構成とすると、釘調整に必要な割数を正確に算出できる。
【００３４】
割数は、通常、「景品金額／売上金額」という式で算出されるが、景品交換分又は貸玉貯玉をそれぞれ景品金額又は売上金額の一方又は双方に含め（反映させ）てしまうと、算出された割数が間違った値あるいは釘調整に用いることのできない値となってしまう。
そこで、割数の計算に貸玉貯玉又は景品交換分を双方とも含めないことで、景品金額が真に売上金額に対するものとなるため、釘調整に必要な割数を正確に算出できる。
なお、税法上、貸玉貯玉や景品交換分を売上金額や景品金額に含めて算出された割数を売上とすることもあるため、これを「現金管理に必要な割数」とし、「釘調整に必要な割数」とともに管理することが望ましい。
【００３５】
また、本発明の遊技場システムは、管理コンピュータが、当日精算貯玉により遊技が行われた場合、該遊技に用いられた当日精算貯玉の数量に相当する金額を、再プレイ売上ではなく現金売上として処理する売上管理処理部を有した構成としてある。
遊技場システムをこのような構成とすれば、当日精算貯玉数の数量に相当する金額が、再プレイ売上ではなく現金売上として処理されるため、補正売上が発生しない。このため、管理コンピュータにおける貸玉貯玉の管理上の問題を解決できる。
【００３６】
また、本発明の遊技媒体貸出機は、投入された現金の金額から遊技により使用された貸出金額を減算した残金を遊技媒体貸出単価で除算する演算処理を実行する演算部と、除算で得られた値を当日精算貯玉数として管理コンピュータへ送信する送信部とを備えた構成としてある。
【００３７】
遊技媒体貸出機をこのような構成とすると、管理コンピュータで遊技媒体貸出機から受信されるデータが、当日精算貯玉数のように現金そのものを示すデータ以外のデータとすることができる。
このため、遊技ホール側は、管理コンピュータを含む遊技場システムの管理を第三者管理会社に委託する必要がなくなるため、高額なシステム管理費をその第三者管理会社に支払わなくてもよくなる。したがって、遊技ホール側としては、遊技場システムの維持に要するランニングコストの大幅な削減を実現できる。
【００３８】
また、本発明の管理コンピュータは、現金の投入金額から貸出金額を減算した値を遊技媒体貸出単価で除算して得られる当日精算貯玉数と、遊技により獲得した遊技媒体による景品貯玉数と、日付けの変更にもとづいて更新された当日外精算貯玉数とを記憶する記憶手段と、当日精算貯玉数、景品貯玉数、当日外精算貯玉数のうち一又は二以上を用いて所定の処理を実行する制御手段とを備えた構成としてある。
【００３９】
管理コンピュータをこのような構成とすれば、管理コンピュータで管理されるデータを、当日精算貯玉数，景品貯玉，当日外精算貯玉数のように、現金そのものではなく貯玉とすることができる。このため、その管理コンピュータを第三者管理会社に管理させる必要がなくなることから、その管理費用を遊技ホール側が捻出しなくてもよくなる。
【００４０】
また、本発明の遊技データ管理方法は、投入された現金の金額から遊技により使用された貸出金額を引いた残金を遊技媒体貸出単価で割り、遊技用カードから読み取った識別データに関連付けて精算貯玉する方法としてある。
遊技データ管理方法をこのような方法とすれば、お釣りを貯玉で精算できる。
そうすると、管理コンピュータで現金を示すデータの管理が不要となるため、この管理コンピュータを含む遊技場システムの管理を第三者管理会社に依頼する必要がなくなる。したがって、遊技ホール側は、システム管理費の支出の抑制、すなわち、ランニングコストの大幅な削減が可能となる。
【００４１】
また、本発明の遊技データ管理方法は、遊技媒体貸出機が、カード読取部で、投入された遊技用カードから、この遊技用カードを識別する識別データを読み取り、精算貯玉算出部で、現金の投入金額から貸出金額を減算し、この減算により得られた値を遊技媒体貸出単価で除算し、この除算により得られた値を当日精算貯玉数とし、管理コンピュータが、遊技媒体貸出機で遊技用カードが返却される際、当日精算貯玉数を識別データと関連付けて記憶する方法としてある。
【００４２】
遊技データ管理方法をこのような方法とすれば、遊技媒体貸出機から管理コンピュータへ送信されるデータを当日精算貯玉数や識別データとすることができる。しかも、管理コンピュータで管理されるデータを貯玉とすることができる。このように、遊技媒体貸出機から管理コンピュータへ送信されるデータや管理コンピュータで管理されるデータを現金そのものを示すデータ以外のデータとすることができるため、遊技ホール側は、その管理コンピュータを含む遊技場システムの管理を第三者管理会社に依頼する必要がなくなる。したがって、遊技ホール側は、高額のシステム管理費をその第三者管理会社に支払うことを要しなくなり、ランニングコストの抑制を図ることができる。
【００４３】
また、本発明の遊技データ管理プログラムは、投入された現金の金額から遊技により使用された貸出金額を引いた残金を遊技媒体貸出単価で割り、遊技用カードから読み取った識別データに関連付けて精算貯玉する処理を遊技場システムに実行させる構成としてある。
【００４４】
遊技データ管理プログラムをこのような構成として遊技場システムに実行させることにより、お釣りを貯玉で精算できる。このため、現金そのもののデータを管理コンピュータで取り扱う必要がなくなる。したがって、遊技ホール側としては、システム管理費が不要となり、ランニングコストを大幅に削減できる。
【００４５】
また、本発明の遊技データ管理プログラムは、投入された遊技用カードから、この遊技用カードを識別する識別データを読み取り、現金の投入金額から貸出金額を減算し、この減算により得られた値を遊技媒体貸出単価で除算し、この除算により得られた値を当日精算貯玉数とする処理を遊技媒体貸出機に実行させ、遊技媒体貸出機で遊技用カードが返却される際、当日精算貯玉数を識別データと関連付けて記憶する処理を管理コンピュータに実行させる構成としてある。
【００４６】
遊技データ管理プログラムをこのような構成として遊技媒体貸出機や管理コンピュータに実行させることにより、遊技媒体貸出機から管理コンピュータへ送信されるデータ、そして、管理コンピュータで管理されるデータを現金そのものを示すデータ以外のデータとすることができる。したがって、遊技ホール側としては、システム管理費の削減、ひいては、ランニングコストの低減を可能にできる。
【発明の効果】
【００４７】
以上のように、本発明によれば、お釣りを貯玉で精算できる。このため、遊技媒体貸出機から管理コンピュータへ送信されるデータや、管理コンピュータで管理されるデータを、現金そのものを示すデータ以外のデータとすることができる。
このため、遊技ホール側としては、遊技場システムの管理を第三者管理会社に委託する必要がなくなる。これにより、その第三者管理会社に支払っていたシステム管理費を削減でき、ひいては、ランニングコストの大幅な減額が可能となる。
【００４８】
また、投入金額と貸出金額とがカード返却時まで遊技媒体貸出機で記憶され、それら投入金額と貸出金額とにもとづいて算出された当日精算貯玉数が管理コンピュータへ送信されるため、管理コンピュータにおいて、当日精算貯玉数からの引き落としによる遊技媒体の払出し分（貸出金額）が、再プレイとして扱われるというデータ管理上の不都合を解消できる。
さらに、割数の計算に、当日精算貯玉数やこの当日精算貯玉数からの景品交換分が含まれないため、「釘調整に必要な割数」を正確に算出できる。
しかも、当日精算貯玉数から引き落として払い出された遊技媒体については、再プレイではなく現金売上とすることで、この点でもデータ管理上の問題を解決できる。
【発明を実施するための最良の形態】
【００４９】
以下、本発明に係る遊技場システム、遊技媒体貸出機、管理コンピュータ、遊技データ管理方法及び遊技データ管理プログラムの好ましい実施形態について、図面を参照して説明する。
【００５０】
［第一実施形態］
まず、本発明の遊技場システム、遊技媒体貸出機、管理コンピュータ、遊技データ管理方法及び遊技データ管理プログラムの第一の実施形態について、図１を参照して説明する。
同図は、本実施形態の遊技場システムの構成を示すブロック図である。
同図に示すように、遊技場システム１は、遊技機１０−１〜１０−ｎと、遊技媒体貸出機２０−１〜２０−ｎと、管理コンピュータ５０とを備えている。
【００５１】
遊技機１０−１〜１０−ｎ（以下、略して「遊技機１０」という。）は、メダルや玉などに代表される遊技媒体を用いて、所定のゲームを行なう機器である。
この遊技機１０には、例えば、スロットマシン，パチンコ機，アレンジボール，雀球機などが含まれる。
【００５２】
遊技媒体貸出機２０−１〜２０−ｎ（以下、略して「貸出機２０」という。）は、図２に示すように、現金投入口２１と、カード挿入口２２と、入力部２３と、表示部２４と、遊技媒体払出口２５とを有している。
現金投入口２１は、遊技者等が遊技媒体を借りるために紙幣や硬貨を投入（挿入）する際の投入口である。
【００５３】
カード挿入口２２は、遊技者の保有する遊技用カード（以下、単に「カード」という。）が挿入（投入）される受入口である。
このカードは、会員用カードであってもよく、また、ビジタ用カードであってもよい。
ビジタ用カードとは、会員登録を受けていない遊技者が遊技を行う際に購入するカードをいう。なお、本実施形態においては、会員用カードとビジタ用カードとを区別することなく「カード」と称する。
【００５４】
カードには、カードデータとして、例えば、カード識別情報（カード発行元に関する情報）、ホールに関する情報，遊技者（カード所持者）の氏名，ふりがな，最終来店日，カード通し番号（シリアルナンバー），発行年月日，発行時刻などを記憶させることができる。
なお、ビジタ用カードに記憶されるカードデータは、会員用カードに記憶されるデータと異なる場合がある。
【００５５】
管理コンピュータ５０で記憶されるカードデータは、そのカードに記憶されたカードデータの全てであってもよく、また、一部であってもよい。ただし、当日精算貯玉数（後述）に関連付けて管理コンピュータ５０で記憶されるカードデータは、当該カードを特定できるデータ（識別データ）であることが望ましい。このため、その識別データとされるカードデータ（例えば、カード通し番号など）は、少なくとも遊技媒体貸出機２０で読み取られ管理コンピュータ５０へ送られる。
カードの返却は、遊技媒体貸出機２０のカード挿入口２２から行うこともでき、また、カード挿入口２２とは別個に設けられたカード用返却口（返却口、図示せず）から返却することもできる。
【００５６】
入力部２３は、暗証番号，遊技媒体の貸出金額（あるいは払出数量）などの入力を行なうために設けられた一又は二以上のボタンやキー（押しボタンやテンキーを含む）である。
それらボタン等は、物理的，立体的なものであってもよく、また、タッチパネル式の液晶パネルなどに表示されたものであってもよい。
この入力部２３には、カードを返却するための操作が行われるボタン等（カード返却操作部）を含むことができる。
さらに、入力部２３は、景品貯玉，当日精算貯玉，当日外精算貯玉のいずれかを選択するボタン等や、この選択した貯玉のうち遊技媒体の貸し出しを受ける貯玉の貸出数量を入力するボタン等を含むこともできる。
【００５７】
表示部２４は、表示管理部３３の制御により、所定のデータを表示する。
所定のデータには、例えば、現金の投入金額，入力部２３で入力された数値（遊技媒体の貸出金額，貸出遊技媒体数を含む），再プレイ可能な貯玉数，押下されたボタンの種類などがある。
さらに、表示部２４は、景品貯玉数，当日精算貯玉数，当日外精算貯玉数を表示することもできる。
【００５８】
遊技媒体払出口２５は、遊技者に対して遊技媒体を払い出すための排出口である。なお、図３においては、遊技媒体払出口２５の形状がノズル型になっているが、ノズル型に限るものではなく、例えば、貸出機２０の前面下方に受け口を設け、この受け口に遊技媒体を払い出すようにすることもできる。また、貸出機２０からの信号にもとづき遊技機１０の内部から前面の受け皿に遊技媒体を払い出すようにすることもできる。
【００５９】
また、貸出機２０は、図３に示すように、金種識別検出部２６と、現金貯留部２７と、現金管理部２８と、貸出機送信部２９と、貸出機受信部３０と、通信管理部３１と、入力管理部３２と、表示管理部３３と、遊技媒体払出管理部３４と、カード保持部３５と、カード搬送機構部３６と、カード読取部３７と、カード管理部３８と、演算部３９と、記憶部４０とを有している。
【００６０】
金種識別検出部２６は、現金投入口２１に投入された現金の金種を検出する。この検出結果は、現金管理部２８へ送られる。
現金貯留部２７は、金種識別検出部２６で金種が識別された現金をためておくための格納部分である。なお、金種が識別された現金は、例えば、島に備えられた搬送装置（図示せず）などへ送り出すことができる。
【００６１】
現金管理部２８は、金種識別検出部２６から受け取った検出結果を投入金額として記憶部４０へ送り記憶させる。この記憶部４０へ送られた投入金額は、現金投入の実績として管理される。
また、現金管理部２８は、その投入金額を演算部３９へ送る。この演算部３９へ送られた投入金額は、投入累計金額（後述）の算出等に用いられる。
【００６２】
貸出機送信部２９は、所定の信号を管理コンピュータ５０へ送信する。
この送信される所定の信号には、例えば、現金信号（現金管理部２８から送られてきた信号であって、投入された現金の金額あるいは金種を示す信号をいう），カードデータ，当日精算貯玉数（後述），貯玉残数参照要求（後述），貯玉引落要求（後述）などが含まれる。
なお、図１においては、貸出機送信部２９と管理コンピュータ５０とが直接接続されており、所定の信号がダイレクトに送信されることとなっているが、所定の信号が管理コンピュータ５０へダイレクトに送信されることに限るものではなく、例えば、台コントローラや島コントローラ等の中継装置（これらは図示せず）を介して送信することもできる。
【００６３】
貸出機受信部３０は、外部（管理コンピュータ５０，台コントローラ，島コントローラなど）から送信されてきた信号を受信して通信管理部３１へ送る。
この貸出機受信部３０で受信される信号（データ）には、例えば、貯玉残数参照応答（後述），貯玉引落応答（後述）などが含まれる。
【００６４】
通信管理部３１は、貸出機受信部３０からの信号（データ）を記憶部４０その他所定の構成各部へ送る。
また、通信管理部３１は、所定のタイミングで記憶部４０から所定のデータを取り出し（あるいは、貸出機２０の構成各部から所定のデータを受け取り）、貸出機送信部２９へ送って外部へ送信させる。
特に、通信管理部３１は、カードが返却される際に（入力管理部３２からカード返却指示信号（後述）を受け取ると）、当日精算貯玉数を記憶部４０から取り出し、貸出機送信部２９へ送って管理コンピュータ５０へ送信させる。
【００６５】
入力管理部３２は、入力部２３で入力操作された内容を判断し、その操作内容に応じた処理を所定の構成各部に実行させる。また、入力管理部３２は、その操作内容を記憶部４０へ送り記憶させる。
特に、入力管理部３２は、入力部２３に含まれるカード返却操作部が操作されたと判断すると、通信管理部３１，カード管理部３８，演算部３９等へその旨を示す信号（カード返却指示信号）を送る。
また、入力管理部３２は、入力部２３で入力された遊技媒体の貸出金額（あるいは、払出数量）を遊技媒体払出管理部３４や演算部３９等へ送る。
【００６６】
表示管理部３３は、記憶部４０から所定のデータを取り出して表示部２４へ送り表示させる。
また、表示管理部３３は、入力管理部３２からの実行指示にしたがって、入力部２３での入力操作の内容（例えば、遊技媒体の払出数量を指定した数値など）に関する表示項目（例えば、「２５０コ」など）を表示部２４へ送って表示させる。
【００６７】
遊技媒体払出管理部３４は、現金投入口２１に投入された現金の金額（金種）の範囲内、あるいは、入力部２３で遊技媒体の貸し出しを受ける金額として入力操作された貸出金額（あるいは、払出数量）にもとづいて、それら金額等に応じた量の遊技媒体を計数し、遊技媒体払出口２５へ送って払い出す。
そして、遊技媒体払出管理部３４は、払い出された遊技媒体の数量を示す払出数量を記憶部４０へ送り記憶させる。
【００６８】
カード保持部３５は、カード挿入口２２で挿入されたカードが貸出機２０内で保持される部分である。
カード搬送機構部３６は、カード挿入口２２で挿入されたカードをカード保持部３５へ送って保持させる。また、カード管理部３８からのカード返却の指示により、カード保持部３５からカード挿入口２２（返却口）へカードを送って返却する。さらに、挿入されたカードを検出すると、検出信号をカード管理部３８へ送る。
なお、カード搬送機構部３６は、カード返却の指示（カード返却操作部からのカード返却指示信号にもとづきカード管理部３８から送られてきた指示）により、カード保持部３５からカードを取り出して返却口へ送ることから「カード返却機構部」としての機能を有している。
【００６９】
カード読取部３７は、カード保持部３５に保持されたカードから（あるいは、搬送中のカードから）所定のカードデータを読み取ってカード管理部３８へ送る。
このカード読取部３７で読み取られるカードデータには、少なくともカード識別データ（識別データ）が含まれている。
【００７０】
カード管理部３８は、カード読取部３７で読み取られたカードデータを受け取って記憶部４０へ送り記憶させる。
また、カード管理部３８は、入力管理部３２からカード返却指示信号（カード返却指示）を受け取ると、カード搬送機構部３６にカード返却を指示する。
なお、本実施形態においては、現金管理部２８，通信管理部３１，入力管理部３２，表示管理部３３，遊技媒体払出管理部３４，カード管理部３８を総称して「貸出機管理手段Ａ」という。
【００７１】
演算部３９は、貸出機２０の有する各種機能に関した演算を実行する。
特に、演算部３９は、現金管理部２８から投入金額を受け取ると、記憶部４０から投入累計金額（カードが挿入されてから返却されるまでの間に投入された現金の投入金額の累計）を取り出し、この取り出した投入累計金額に投入金額を加算し、この加算により求められた値を新たな投入累計金額として記憶部４０へ送り記憶させる。
【００７２】
また、演算部３９は、入力管理部３２から貸出金額を受け取ると、記憶部４０から貸出累計金額（カードが挿入されてから返却されるまでの間に払い出された遊技媒体の数量に相当する金額の累計）を取り出し、この取り出した貸出累計金額に貸出金額を加算し、この加算により求められた値を新たな貸出累計金額として記憶部４０へ送り記憶させる。
さらに、演算部３９は、入力管理部３２から、カード返却指示信号を受け取ると、記憶部４０から投入累計金額と貸出累計金額とを取り出し、その投入累計金額から貸出累計金額を減算し、この減算により得られた数値を残金額とし、この残金額を遊技媒体貸出単価（遊技媒体一個あたりの貸出価格）で除算し、この除算により得られた値を当日精算貯玉数として記憶部４０へ送り記憶させる。
【００７３】
具体的には、例えば、現金の投入金額が「５，０００［円］」であって、投入累計金額が「１０，０００［円］」の場合、演算部５６は、「５，０００［円］＋１０，０００［円］＝１５，０００［円］」との演算を行って、記憶部４０に記憶されている投入累計金額を「１５，０００［円］」に更新させる。
また、例えば、遊技媒体の貸出金額が「１，０００［円］」であって、貸出累計金額が「５，０００［円］」の場合、演算部５６は、「１，０００［円］＋５，０００［円］＝６，０００［円］」との演算を行って、記憶部４０に記憶されている貸出累計金額を「６，０００［円］」に更新させる。
さらに、演算部５６は、カード返却の際、記憶部４０から投入累計金額「１５，０００［円］」と貸出累計金額「６，０００［円］」とを取り出し、これらを減算処理し（１５，０００［円］−６，０００［円］＝９，０００［円］）、この減算処理で得られた金額を残金額とする。そして、この残金額「９，０００［円］」を、遊技媒体１［個］あたりの単価（遊技媒体貸出単価、例えば、４［円／個］）で割り（９，０００［円］÷４［円／個］＝２，２５０［個］）、この除算で得られた値「２，２５０［個］」を当日精算貯玉数とする。
【００７４】
なお、演算部３９では、貸出金額や貸出累計金額に代えて、払出数量や払出累計数量を用いることができる。
払出累計数量とは、カードがカード挿入口２２に挿入されてから返却されるまでの間に払い出された遊技媒体の数量の累計をいう。
この場合、演算部３９は、遊技媒体払出管理部３４（あるいは、入力管理部３２）から払出数量を受け取ると、記憶部４０から払出累計数量を取り出し、この取り出した払出累計数量に払出数量を加算し、この加算により求められた値を新たな払出累計数量として記憶部４０へ送り記憶させる。
【００７５】
さらに、演算部３９は、入力管理部３２から、カード返却指示信号を受け取ると、記憶部４０から投入累計金額と払出累計数量とを取り出し、払出累計数量の示す遊技媒体の数量に相当する金額（貸出累計金額に相当）を投入累計金額から減算し、この減算により得られた数値を残金額とし、この残金額を遊技媒体貸出単価で除算し、この除算により得られた値を当日精算貯玉数として記憶部４０へ送り記憶させる。
なお、演算部３９から記憶部４０へ送られるデータには、当日精算貯玉数の他、残金額などのように、当日精算貯玉数の算出途中で求められた値を含むことができる。
また、演算部３９は、当日精算貯玉数を算出することから「精算貯玉算出部」としての機能を有している。
【００７６】
記憶部（貸出機記憶部）４０は、貸出機２０の有する機能に関した種々のデータを記憶する。
特に、記憶部４０は、現金管理部２８から送られてきた現金の投入金額（あるいは、現金の金種），通信管理部３１から送られてきた貯玉残数参照応答や貯玉引落応答の内容，入力管理部３２から送られてきた入力部２３での入力操作の内容，貸出金額，遊技媒体払出管理部３４から送られてきた払出数量，カード管理部３８から送られてきたカードデータ，演算部３９から送られてきた投入累計金額，貸出累計金額，払出累計数量，残金額，当日精算貯玉数などを記憶する。
なお、本実施形態の貸出機２０は、新規のカードを発行する機能を有することができる。
【００７７】
管理コンピュータ５０は、プログラム制御により動作するコンピュータであって、遊技機１０や貸出機２０から所定のデータを収集して管理する。この管理コンピュータ５０には、例えば、ホールコンピュータなどが含まれる。
この管理コンピュータ５０は、図４に示すように、記憶部５１と、記憶管理部５２と、通信部５３と、入力部５４と、表示部５５と、演算部５６と、制御部５７とを有している。
【００７８】
記憶部５１は、管理コンピュータ５０の有する機能に関係した所定のデータを記憶する。
特に、記憶部５１は、同図に示すように、カード情報データベース５１−１と、景品貯玉データベース５１−２と、当日精算貯玉データベース５１−３と、当日外精算貯玉データベース５１−４とを有している。
カード情報データベース５１−１は、カードデータ（カード識別データを含む）を記憶する。
景品貯玉データベース５１−２は、カード識別データ（識別データ）と景品貯玉とを関連付けて記憶する。
【００７９】
当日精算貯玉データベース５１−３は、カード識別データと当日精算貯玉とを関連付けて記憶する。
当日外精算貯玉データベース５１−４は、カード識別データと当日外精算貯玉とを関連付けて記憶する。
当日外精算貯玉数とは、日付けが変更されたことで当日精算貯玉数が翌営業日に持ち越された貯玉数をいう。
【００８０】
なお、これら景品貯玉データベース５１−２，当日精算貯玉データベース５１−３，当日外精算貯玉データベース５１−４に記憶される各データ（景品貯玉，当日精算貯玉数，当日外精算貯玉数）は、図５に示すように、それぞれカード識別データをキーとして記憶されている。
また、景品貯玉等に関連付けて記憶されるカード識別データとしては、カードデータのうちそのカードを特定できるデータ、例えば、カード通し番号などを用いることができる。ただし、カード識別データは、カード通し番号などに限るものではなく、例えば、複数のカードデータ（例えば、カード通し番号と店番号など）の組み合わせや、複数のカードデータを数値化又は記号化して演算処理した結果得られた数値や記号などを用いることもできる。
【００８１】
記憶管理部５２は、通信部５３を介して貸出機２０から送られてきたカードデータを記憶部５１のカード情報データベース５１−１へ送って記憶させる。
また、記憶管理部５２は、景品貯玉（遊技媒体計数機（図示せず）で計数された遊技媒体の数量による貯玉）を景品貯玉データベース５１−２へ送りカード識別データと関連付けて記憶させる。
さらに、記憶管理部５２は、通信部５３を介して貸出機２０から送られてきた当日精算貯玉を記憶部５１の当日精算貯玉データベース５１−３へ送って記憶させる。
【００８２】
そして、記憶管理部５２は、日付けが変更されたことを示す指令（日付変更指令）を制御部５７から受け取ると、当日精算貯玉データベース５１−３から当日精算貯玉を取り出し、当日外精算貯玉データベース５１−４へ送りカード識別データと関連付けて記憶させる。このとき、当日精算貯玉数データベース５１−３に記憶されていた当日精算貯玉数は消去される。
また、記憶管理部５２は、記憶部５１の各データベース（カード情報データベース５１−１，景品貯玉データベース５１−２，当日精算貯玉データベース５１−３，当日外精算貯玉データベース５１−４）から所定のデータを取り出して制御部５７等へ送る。
【００８３】
通信部５３は、遊技機１０や貸出機２０等から送信されてきた所定のデータを受信する。また、通信部５３は、それら遊技機１０等に対して、所定のデータを送信する。
具体的には、例えば、貸出機２０から、当日精算貯玉，カードデータ，貯玉残数参照要求，貯玉引落要求，投入金額，使用金額，投入累計金額，使用累計金額，残金額などを受信する。また、例えば、通信部５３は、貸出機２０に対して、貯玉残数参照応答や貯玉引落応答などを送信する。
なお、通信部５３は、貸出機２０から当日精算貯玉数やカードデータ（カード識別データを含む）を受信することから「受信部」としての機能を有している。
【００８４】
入力部５４は、キーボードやマウスなどのＭＭＩ（マンマシンインタフェイス）などで構成されており、所定の操作によりデータや命令，指示などが入力される。
表示部５５は、ＣＲＴ（ブラウン管），ＬＣＤ（液晶ディスプレイ），プラズマディスプレイなどで構成でき、所定のデータを表示する。
【００８５】
演算部５６は、管理コンピュータ５０の有する各種機能に関した演算を実行する。
また、演算部５６は、貯玉が引き落とされると、その引き落とされた遊技媒体の数量を貯玉から減算する。
なお、減算の対象となる貯玉を景品貯玉，当日精算貯玉，当日外精算貯玉のうちいずれにするかについては、遊技者により貸出機２０で選択させることができる。
【００８６】
さらに、演算部５６は、当日精算貯玉の全部又は一部が景品に交換された場合、当日精算貯玉の示す遊技媒体の数量と景品交換された遊技媒体の数量とを、割数計算に反映させないような演算を実行する。この割数計算については、後記の「管理コンピュータにおける割数計算について」において詳述する。
なお、演算部５６は、このような演算を実行することから「割数計算処理部」としての機能を有している。
【００８７】
また、演算部５６は、当日精算貯玉により遊技が行われた場合、該遊技に用いられた当日精算貯玉の数量に相当する金額を、再プレイ売上ではなく現金売上として処理するような演算を実行する。
つまり、当日精算貯玉数により再プレイされた場合は、当日精算貯玉で景品に交換された場合と同様に、現金売上として管理する。
そして、前日以前に精算貯玉を行ったもので再プレイする場合には、補正売上として管理を行う。
このような演算処理を可能とすることで、現金売上と現金そのものの金額とが一致するようになり、すなわち現金照合が可能となる。
なお、演算部５６は、このような演算を実行することから「売上管理処理部」としての機能を有している。
【００８８】
制御部５７は、管理コンピュータ５０を構成する各構成部の動作を制御する。
また、制御部５７は、演算部５６における演算制御、通信部５３で送受信されるデータの管理・制御、入力部５４で入力されたデータ，命令，指示等に関する制御、表示部５５におけるデータの表示制御、記憶管理部５２を介して記憶部５１に記憶されている各種データの管理・制御等を実行する。
【００８９】
さらに、制御部５７は、計時部（時間を計る部分、図示せず）を有しており、この計時部で計時されている時間にもとづき、日付が変更されたか否かを判断する。そして、日付けが変更される場合には、そのことを示す日付変更指令を記憶管理部５２へ送る。
なお、「日付の変更」には、例えば、（１）２４時間を一日としたときに午前０時を境として日付が変更されたとする場合、（２）遊技ホールの営業時間を考慮して、営業時間終了後，閉店処理終了後，管理コンピュータ５０における所定の処理の実行終了後などに日付けが変更されたとする場合などがある。
【００９０】
次に、本実施形態の遊技場システムにおける動作・処理（遊技データ管理方法）のうち、現金による遊技の動作・処理について、図６を参照して説明する。
同図は、遊技データ管理方法における現金での遊技のうち、貸出機でのカードの挿入，遊技媒体の払出し，カードの返却等に関する動作・処理手順を示すフローチャートである。
【００９１】
同図に示すように、貸出機２０のカード挿入口２２にカードが挿入されると、この挿入されたカードがカード搬送機構部３６で検出され（カード挿入の検出、ステップ１０）、カード保持部３５へ送られて保持される。なお、ここで、暗証番号等によるカードの認証を行うことができる。
そして、カード読取部３７でカードから所定のカードデータが読み取られる（ステップ１１）。なお、この読み取られるカードデータには、そのカードを識別するカード識別データ（識別データ）が含まれている。
この読み取られたカードデータが、カード読取部３７からカード管理部３８を介して記憶部４０へ送られ記憶される。
【００９２】
次いで、現金投入口２１に現金が投入されると、現金投入口２１の内部にあるセンサ（図示せず）により、その現金が検出される（ステップ１２）。
そして、その検出された現金について、金種識別検出部２６で金種の識別が行われる（ステップ１３）。
この識別結果が、現金管理部２８へ送られ、さらに記憶部４０へ送られ投入金額として記憶される（ステップ１４）。
さらに、投入金額が、現金管理部２８から演算部３９へ送られ、この演算部３９で、記憶部４０から投入累計金額が取り出され、この投入累計金額に新たな投入金額が加算され、この加算により求められた値が新たな投入累計金額として記憶部４０へ送され記憶される（投入累計金額の算出・記憶、ステップ１５）。
【００９３】
続いて、遊技媒体払出管理部３４において、投入金額の範囲内あるいは入力部２３で入力指定された金額に相当する数量の遊技媒体が遊技媒体払出管理部３４でカウントされ、遊技媒体払出口２５へ送られて払い出される（ステップ１６）。
そして、入力管理部３２（あるいは遊技媒体払出管理部３４）から記憶部４０へ貸出金額が送られて記憶される（ステップ１７）。
なお、貸出金額に代えて、遊技媒体の払出数量を記憶部４０へ送り記憶させることもできる。
【００９４】
さらに、貸出金額が入力管理部３２（あるいは遊技媒体払出管理部３４）から演算部３９へ送られ、この演算部３９で、記憶部４０から貸出累計金額を取り出し、この取り出した貸出累計金額に新たな貸出金額を加算し、この加算により求められた値を新たな貸出累計金額として記憶部４０へ送り記憶させる（貸出累計金額の算出・記憶、ステップ１８）。
【００９５】
その後、入力部２３でカード返却の操作（例えば、カード返却操作部の操作など）が行われ、この操作が入力管理部３２で検出（受付）されると（カード返却の受付、ステップ１９）、この入力管理部３２から演算部３９へカード返却指示信号が送られる。
このカード返却指示信号を受け取った演算部３９で、記憶部４０から投入累計金額と払出累計金額とが取り出され、これら投入累計金額から払出累計金額が差し引かれて、残金額が算出される（ステップ２０）。この算出された残金額は、記憶部４０へ送られて記憶される。
さらに、演算部３９で、残金額を遊技媒体貸出単価で除算する演算が実行され、この除算により得られた値が当日精算貯玉数として記憶部４０へ送されて記憶される（ステップ２１）。
【００９６】
続いて、通信管理部３１で記憶部４０から当日精算貯玉数とカードデータとが取り出され、貸出機送信部２９へ送られる。
この貸出機送信部２９で、それら当日精算貯玉数とカードデータとが管理コンピュータ５０へ送信される（ステップ２２）。
その後、カード管理部３８でカード搬送機構部３６が制御されて、カード保持部３５から取り出されたカードがカード挿入口２２（あるいはカード返却口（図示せず））へ送られ返却される（ステップ２３）。
【００９７】
その後、管理コンピュータ５０においては、通信部５３で受信された当日精算貯玉数とカードデータとが記憶管理部５２へ送られる。
この記憶管理部５２において、カードデータが記憶部５１のカード情報データベース５１−１へ、当日精算貯玉数がカード識別データに関連付けられて当日精算貯玉データベース５１−３へそれぞれ送られて記憶される。
【００９８】
このように、貸出機２０においては、カードが返却されるまで、現金の投入累計金額や遊技媒体の貸出累計金額（あるいは、遊技媒体の払出累計数量）が管理コンピュータ５０へ送信されることなく貸出機２０内で算出・記憶され、カード返却時に当日精算貯玉数が算出されて管理コンピュータ５０へ送信される。
これにより、管理コンピュータ５０においては、現金を管理する必要がなくなることから第三者管理会社に管理を委託しなくともよくなり、したがって、システム管理費をカットしてランニングコストを大幅に削減できる。
【００９９】
なお、本実施形態においては、図６に示すように、現金投入や遊技媒体の払い出しが一回行われるのみとしているが、それら現金投入や払い出しはそれぞれ一回に限るものではなく、複数回でも可能である。すなわち、貸出機２０にカードが挿入されてから返却されるまでの間に、現金投入や遊技媒体の貸し出しを複数回行うこともできる。
【０１００】
次に、本実施形態の遊技場システムにおける動作・処理（遊技データ管理方法）のうち、貯玉による遊技の動作・処理について、図７を参照して説明する。
同図は、遊技データ管理方法のうち貯玉による遊技の動作・処理手順を示す動作手順図である。
【０１０１】
同図に示すように、貸出機２０のカード挿入口２２でカードが挿入されると、この挿入されたカードがカード搬送機構部３６で検出され（ステップ３０）、カード保持部３５へ送られて保持される。ここで、暗証番号等によりカードを認証することができる。
カード読取部３７において、カードからカードデータ（カード識別データを含む）が読み取られ、カード管理部３８を介して記憶部４０へ送られて記憶される（カードデータの識別、ステップ３１）。
【０１０２】
また、カードデータが識別されたことがカード管理部３８から通信管理部３１へ知らされると、通信管理部３１から貸出機送信部３９を介して管理コンピュータ５０へ、貯玉残数参照要求（貯玉数の送信を要求する信号）がカードデータとともに送信される（ステップ３２）。
管理コンピュータ５０の通信部５３で貯玉残数参照要求等が受信されると（ステップ３３）、それら貯玉残数参照要求等が制御部５７へ送られ、記憶部５１の各データベース（景品貯玉データベース５１−２，当日精算貯玉データベース５１−３，当日外精算貯玉データベース５１−４）から、そのカード識別データに関連付けられた貯玉残数（景品貯玉数，当日精算貯玉数，当日外精算貯玉数のそれぞれ）が取り出される（貯玉残数の参照、ステップ３４）。
この取り出された貯玉残数が、制御部５７から通信部５３へ送られ、さらに、貸出機２０へ貯玉残数参照応答として送信される（ステップ３５）。
なお、貸出機２０へ送信される貯玉残数は、景品貯玉数，当日精算貯玉数，当日外精算貯玉数のそれぞれであってもよく、換金率が同じ場合は、それら景品貯玉数，当日精算貯玉数，当日外精算貯玉数をすべて合算した値であってもよい。
【０１０３】
貸出機２０の貸出機受信部３０で貯玉残数参照応答が受信され（ステップ３６）、その内容が通信管理部３１を介して記憶部４０へ送られ記憶される。
また、貯玉残数参照応答の内容が、表示管理部３３で、記憶部４０から取り出され（あるいは、通信管理部３１から受け取られ）、表示部２４へ送られて表示される（貯玉残数の表示、ステップ３７）。この貯玉残数の表示においては、景品貯玉数，当日精算貯玉数，当日外精算貯玉数について個々に表示することができる。
続いて、遊技者により入力部２３で貯玉引落（貯玉から引き落とされる数量又は金額）が入力されると（ステップ３８）、この入力された貯玉引落が入力管理部３２から通信管理部３１へ送られ、貯玉引落要求（貯玉から貯玉引落分を減算する処理の実行を要求する信号）として、貸出機送信部２９を介して管理コンピュータ５０へ送信される（ステップ３９）。
【０１０４】
管理コンピュータ５０の通信部５３で貯玉引落要求が受信され（ステップ４０）、制御部５７へ送られる。
制御部５７において、記憶部５１の景品貯玉データベース５１−２から景品貯玉が取り出され、演算部５６で、その景品貯玉から貯玉引落を減算する（ステップ４１）。
減算処理後、制御部５７から通信部５３を介して貸出機２０へ、貯玉引落応答（貯玉から引き落としの減算処理が行われたことを示す信号）が送信される（ステップ４２）
【０１０５】
貸出機２０の貸出機受信部３０において、貯玉引落応答が受信され（ステップ４３）、通信管理部３１へ送られる。
そして、遊技媒体払出管理部３４で、その貯玉引落応答の示す数量の遊技媒体が遊技媒体払出口２５から払い出される（ステップ４４）。
その後、表示部２４で、貯玉引落応答の示す貯玉残数が表示される（ステップ４５）。
【０１０６】
なお、遊技媒体の払出（Ｓ４４）は、管理コンピュータ５０での貯玉残数の減算（Ｓ４１）の実行前に行うことができる。
例えば、次のような処理手順とすることができる。
貸出機２０において、貯玉引落の入力の後、遊技媒体の払出が行われ、次いで、貯玉引落要求が管理コンピュータ５０へ送信される。管理コンピュータ５０において、貯玉引落要求が受信され、貯玉残数の減算が実行されて、貸出機２０へ貯玉引落応答が送信される。貸出機２０において、貯玉引落応答が受信され、貯玉残数が表示される。
【０１０７】
次に、管理コンピュータにおける割数計算について、説明する。
従来、割数計算は、次のように行われていた。
現金の未使用分を現金貯玉とし、この現金貯玉を景品に交換した場合、この景品分を景品金額に入れて割数を算出している。
ところが、割数は、「景品金額÷売上金額」、つまり、売上に対する景品分の割合を示すものである。そして、従来では、現金貯玉の景品交換分は景品金額に含めていたものの、景品交換された現金貯玉は売上金額に含まれていなかった。このため、割数の示す値が「遊技媒体の貸出数に対する景品への交換数」でなくなり、割数を正確に求めることができなくなっていた。
【０１０８】
ここで、現金貯玉した金額を売上に入れることも考えられるが、同様の問題がある。
さらに、景品金額と現金貯玉とをそれぞれ含めて割数を計算した場合は、割数全体が低下することになる（景品金額＝現金貯玉となるため）。これにより、釘調整に必要な割数としては、不適切な値となる。
【０１０９】
そこで、本実施形態においては、割数の計算から現金貯玉（精算貯玉）や景品交換分を除外する。
これにより、正確かつ釘調整に必要な割数を求めることができる。
なお、交換単価や売上金額についても、同様に除外する。
【０１１０】
［第二実施形態］
次に、本発明の遊技場システム、遊技媒体貸出機（貸出機）、管理コンピュータ、遊技データ管理方法及び遊技データ管理プログラムの第二の実施形態について、図８〜図１０を参照して説明する。
図８は、本実施形態の遊技場システムの構成を示すブロック図、図９は、貸出機及び遊技機の前面構成を示す概略図、図１０は、貸出機及び表示機の内部構成を示すブロック図である。
本実施形態は、第一実施形態と比較して、新たに表示機を備えた点が相違する。他の構成要素は第一実施形態と同様である。
したがって、図８〜図１０において、図１等と同様の構成部分については同一の符号を付して、その詳細な説明を省略する。
【０１１１】
図８に示すように、遊技場システム１は、表示機６０−１〜６０−ｎ（以下、略して「表示機６０」という。）を備えている。
ここで、表示機６０は、例えば、貸出機２０等から所定のデータを受信して表示する装置であって、図９、図１０に示すように、表示部６１と、入力部６２と、記憶部６３と、通信部６４と、制御部６５とを有している。
表示部６１は、ＣＲＴ（ブラウン管），ＬＣＤ（液晶ディスプレイ），プラズマディスプレイなどで構成することができ、所定のデータを表示する。
この表示部６１に表示されるデータには、例えば、遊技機１０の台データ，遊技者（会員）に関する情報などが含まれる。
また、この表示部６１をタッチパネルで構成することにより、その表示部６１を入力手段（所定のデータを入力する手段）として使用することもできる。
【０１１２】
入力部６２は、表示機６０又は貸出機２０が有する機能に関した所定の操作を行うためのボタンやキー等であって、例えば、表示機６０の電源スイッチ，表示内容の切換ボタン，遊技媒体の払い出しボタンなどを含むことができる。
記憶部６３は、表示機６０が有する機能に関したデータ、例えば、表示部６１で表示される画面に関するデータ、表示部６１や入力部６２で入力されたデータ、通信部６４で送受信されるデータ等を記憶する。
通信部６４は、貸出機２０との間で所定のデータを送受信するためのインタフェイスである。
制御部６５は、表示機６０が有する各種機能に関する処理や動作を構成各部に実行させる。
【０１１３】
貸出機２０は、図１０に示すように、表示機用通信部４１と、表示機通信管理部４２とを有している。
表示機用通信部４１は、表示機６０との間でデータのやりとりを行うためのインタフェイスである。
表示機通信管理部４２は、表示機用通信部４１を介して表示機６０との間でデータのやりとりを行うための通信制御部分である。
【０１１４】
管理コンピュータ５０の記憶部５１は、カード情報データベース５１−１を有している。
カード情報データベース５１−１は、図１１に示すように、会員用カード及びその利用者（会員）に関するデータ（会員データ）の他、ビジタ用カード及びその利用者に関するデータ（ビジタデータ）を記憶することができる。
【０１１５】
従来、ビジタ用カードについては、そのビジタ用カードが購入された金額に関しては管理コンピュータ５０で管理されていたものの、ビジタ用カードの残金を貯玉として管理したり、ビジタ用カードのカードデータと景品貯玉とを関連付けて記憶したりすることはなされていなかった。
これに対し、本実施形態においては、管理コンピュータ５０で、ビジタ用カードを特定するデータに関連付けて景品貯玉や当日精算貯玉数を記憶することができる。このような構成により、ビジタ用カードの利用者も高額紙幣を使用した遊技が可能となり、しかも、お釣りを貯玉で精算できる。つまり、ビジタ用カードに精算貯玉がある場合は、景品交換機にて景品に交換できる。
このように、ビジタ用カードの利用価値が高まることから、ビジタ用カードの利用者の増加が見込まれ、会員募集の効果を得ることができる。
通常、ビジタ用カードを使用する遊技者は非会員であるため、景品交換する店員が会員募集をするきっかけとなる。ここで、会員の登録ができれば、この登録者（会員）が再来店する効果が必然的に発生する。このため、集客率を高めることができる。
【０１１６】
制御部５７は、データ登録の参照を行う。
データ登録の参照とは、記憶部５１に所定のデータ（特に、カード識別データ）が記憶（登録）されているか否かを判断する処理をいう。
データ登録の参照が行なわれた結果、カード識別データが登録されている場合は、その遊技者は、会員、あるいは、ビジタ用カードで登録した者であると判断できる。
一方、登録されていない場合は、非会員であると判断できる。
【０１１７】
次に、表示機６０の表示部６１に表示される画面の構成について、図１２〜図１４を参照して説明する。
表示部６１には、会員登録に関する情報を表示し、また、会員登録に必要な情報（会員データ）を入力するための会員登録用画面を表示させることができる。
この会員登録用画面には、例えば、図１２に示すような会員登録選択画面、図１３に示すような会員データ入力画面、図１４に示すような会員登録完了画面などが含まれる。
【０１１８】
会員登録選択画面は、遊技者が会員登録を受けるかどうかを選択するための画面である。
会員データ入力画面は、会員データを入力するための画面であって、例えば、会員データとして、遊技者の氏名（お名前），性別，暗証番号などの入力が可能となっている。
会員データ入力画面で入力された会員データは、管理コンピュータ５０へ送信される。管理コンピュータ５０で登録が完了すると、貸出機２０から会員用カードが発行される（あるいは、ビジタ用カードを会員用カードとして使用可能となる）。
会員登録完了画面は、管理コンピュータ５０での会員データの登録が完了したことを遊技者に知らせるための画面である。
これら画面を表示機６０の表示部６１に表示させることで、ビジタ用カードを所持する遊技者が表示機６０上で所定の操作を行って会員登録を受けることができる。
【０１１９】
次に、カードがビジタ用カードである場合の会員登録の手順について、図１５を参照して説明する。
通常、会員用カードの場合は、そのカードに、例えば、カード通し番号（シリアルナンバー、カード識別データ）や店番号などが記憶されており、さらに、管理コンピュータ５０では、会員データとして、その会員の氏名，性別，暗証番号，生年月日などがカード識別データ（例えば、カード通し番号など）をキーとして記憶・管理されている。
これに対し、ビジタ用カードの場合は、カード自体にはカード通し番号や店番号などカード独自のデータが記憶されているものの、管理コンピュータ５０では、そのカードに関するデータや遊技者に関するデータは記憶・管理されていない。
【０１２０】
貸出機２０のカード挿入口２２に挿入されたカードがカード搬送機構部３６で検出される（ステップ５０）。そして、そのカードがカード保持部３５へ送られ、カード読取部３７でカードデータ（カード識別データを含む）が読み取られる（カードデータの識別、ステップ５１）。
この読み取られたカードデータが、カード管理部３８を介して記憶部４０へ送られ記憶される。
【０１２１】
表示機６０の入力部６２又は表示部６１で会員登録するための操作が行われると（会員登録選択画面の表示操作の入力、ステップ５２）、表示部６１に会員登録選択画面（図１１）が表示される（ステップ５３）。
この会員登録選択画面において、会員登録を行うか否かの選択結果が入力され（ステップ５４）、この入力された選択結果が、表示機６０の通信部６４を介して貸出機２０へ送信される（ステップ５５）。
貸出機２０の表示機用通信部４１で会員登録選択結果が受信されると（ステップ５６）、データ登録参照要求が通信管理部３１を介して貸出機送信部２９から管理コンピュータ５０へ送信される（ステップ５７）。このとき、カードデータ（カード識別データを含む）が記憶部４０から取り出され、データ登録参照要求とともに送信される。
【０１２２】
管理コンピュータ５０の通信部５３でデータ登録参照要求が受信され（ステップ５８）、制御部５７で、カードデータ（カード識別データ）が登録されているか否かの確認（データ登録の参照）が行なわれる（ステップ５９）。
このデータ登録の参照は、カード情報データベース５１−１にカード識別データが記憶（登録）されているか否かを判断することにより行われる。この判断の結果には、「データ登録されている」と「データ登録されていない」とがある。
その判断の結果がデータ登録参照応答として貸出機２０へ送信される（ステップ６０）。
【０１２３】
貸出機２０の貸出機受信部３０でデータ登録参照応答が受信され（ステップ６１）、さらに通信管理部３１、そして記憶部４０へ送られて記憶される。
また、データ登録参照応答が、表示機通信管理部４２及び表示機用通信部４１を介して表示機６０へ送信される（ステップ６２）。
表示機６０の通信部６４でデータ登録参照応答が受信されると（ステップ６３）、このデータ登録参照応答の内容が制御部６５で判断される。
判断の結果、データ登録参照応答が「データ登録されている」を示すものであるときは、貸出機２０に挿入されているカードは会員用カードであると判断される。
一方、データ登録参照応答が「データ登録されていない」を示すものであるときは、そのカードはビジタ用カードであると判断される。
【０１２４】
カードがビジタ用カードであると判断されると、表示部６１に会員データ入力画面が表示される（ステップ６４）。
この会員データ入力画面で会員データが入力されると（ステップ６５）、その会員データが貸出機２０へ送信される（ステップ６６）。
貸出機２０で会員データが受信されると（ステップ６７）、会員データ登録要求が、その会員データとともに管理コンピュータ５０へ送信される（ステップ６８）。
管理コンピュータ５０で会員データ登録要求が受信され（ステップ６９）、会員データが記憶部５１のカード情報データベース５１−１へ送られて記憶（登録）される（会員データの登録、ステップ７０）。
【０１２５】
会員データの登録が完了すると、会員登録完了通知が管理コンピュータ５０から貸出機２０へ送信され、さらに表示機６０へ送信される（ステップ７１〜ステップ７４）。
会員登録完了通知が受信された表示機６０の表示部６１で、会員登録完了画面が表示される（ステップ７５）。
【０１２６】
次に、遊技データ管理プログラムについて説明する。
上記の第一及び第二の実施形態におけるコンピュータ（貸出機，管理コンピュータ，表示機等）の各種機能（ここでは、「遊技データ管理機能」と称する）は、記憶手段に記憶された遊技データ管理プログラムにより実現される。
遊技データ管理プログラムは、各コンピュータに読み込まれることにより、それらコンピュータの各構成要素に指令を送り、所定の処理、たとえば、貸出機の投入金額記憶処理、貸出金額記憶処理、残金額・当日精算貯玉数算出処理、当日精算貯玉数送信処理、カードデータ送信処理、管理コンピュータの各貯玉管理・記憶処理、貯玉更新処理、割数演算処理、表示機のデータ表示処理、会員登録画面表示処理、会員データ入力処理などを行わせる。
これらによって、遊技データ管理機能は、遊技データ管理プログラムとコンピュータとが協働した貸出機や管理コンピュータにより実現される。
【０１２７】
なお、遊技データ管理機能を実現するための遊技データ管理プログラムは、コンピュータのＲＯＭあるいはハードディスク等に記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、貸出機や管理コンピュータに外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等をいう。
【０１２８】
そして、記録媒体に記録されたプログラムは、コンピュータのＲＡＭにロードされて、ＣＰＵにより実行される。この実行により、上述した本実施形態の貸出機や管理コンピュータの機能が実現される。
さらに、コンピュータで遊技データ管理プログラムをロードする場合、他のコンピュータで保有された遊技データ管理プログラムを、通信回線を利用して自己の有するＲＡＭや外部記憶装置にダウンロードすることもできる。このダウンロードされた遊技データ管理プログラムも、ＣＰＵにより実行され、本実施形態の貸出機や管理コンピュータの遊技データ管理機能を実現する。
【０１２９】
以上、本発明の遊技場システムの好ましい実施形態について説明したが、本発明に係る遊技場システムは上述した実施形態にのみ限定されるものではなく、本発明の範囲で種々の変更実施が可能であることは言うまでもない。
例えば、上述した実施形態では、景品貯玉と当日精算貯玉と当日外精算貯玉をそれぞれ分けて管理することとしているが、それぞれ分けることに限るものではなく、まとめて貯玉として管理することもできる。
さらに、景品貯玉，当日精算貯玉，当日外精算貯玉は、交換率の相違や遊技機の機種の相違等により、さらに細分化して管理することもできる。
【産業上の利用可能性】
【０１３０】
本発明は、当日精算貯玉や当日外精算貯玉によりお釣りを精算できることが特徴であるため、現金による遊技や貯玉による遊技が行われる遊技場の管理システムに利用可能である。
【図面の簡単な説明】
【０１３１】
【図１】本発明の第一実施形態における遊技場システムの構成を示すブロック図である。
【図２】第一実施形態における遊技機及び遊技媒体貸出機の正面の構成を示す外観概略図である。
【図３】第一実施形態における本発明の遊技媒体貸出機の内部構成を示すブロック図である。
【図４】第一実施形態の管理コンピュータの内部構成を示すブロック図である。
【図５】第一実施形態における管理コンピュータの記憶部に記憶される各データの構成を示す図表である。
【図６】本発明の遊技媒体貸出機における現金による遊技の動作手順を示すフローチャートである。
【図７】本発明の遊技媒体貸出機及び管理コンピュータにおける貯玉による遊技の動作手順を示す動作手順図である。
【図８】本発明の第二実施形態における遊技場システムの構成を示すブロック図である。
【図９】第二実施形態における遊技機及び遊技媒体貸出機の正面の構成を示す外観概略図である。
【図１０】第二実施形態における遊技媒体貸出機及び表示機の内部構成を示すブロック図である。
【図１１】第二実施形態における管理コンピュータの記憶部に記憶される各データの構成を示す図表である。
【図１２】会員登録選択画面の構成を示す説明図である。
【図１３】会員データ入力画面の構成を示す説明図である。
【図１４】会員登録完了画面の構成を示す説明図である。
【図１５】ビジタ用カードを用いた会員登録の操作手順を示す動作手順図である。
【符号の説明】
【０１３２】
１  遊技場システム
１０−１〜１０−ｎ  遊技機
２０−１〜２０−ｎ  遊技媒体貸出機（貸出機）
２１  現金投入口
２２  カード挿入口
２３  入力部
２４  表示部
２５  遊技媒体払出口
２６  金種識別検出部
２７  現金貯留部
２８  現金管理部
２９  貸出機送信部
３０  貸出機受信部
３１  通信管理部
３２  入力管理部
３３  表示管理部
３４  遊技媒体払出管理部
３５  カード保持部
３６  カード搬送機構部
３７  カード読取部
３８  カード管理部
３９  演算部
４０  記憶部
４１  表示機用通信部
４２  表示機通信管理部
５０  管理コンピュータ
５１  記憶部
５１−１  カード情報データベース
５１−２  景品貯玉データベース
５２−３  当日精算貯玉データベース
５２−４  当日外精算貯玉データベース
５２  記憶管理部
５３  通信部
５４  入力部
５５  表示部
５６  演算部
５７  制御部
６０  表示機
６１  表示部
６２  入力部
６３  記憶部
６４  通信部
６５  制御部
【図１】
2005198838.tif 000003
【図２】
2005198838.tif 000004
【図３】
2005198838.tif 000005
【図４】
2005198838.tif 000006
【図５】
2005198838.tif 000007
【図６】
2005198838.tif 000008
【図７】
2005198838.tif 000009
【図８】
2005198838.tif 000010
【図９】
2005198838.tif 000011
【図１０】
2005198838.tif 000012
【図１１】
2005198838.tif 000013
【図１２】
2005198838.tif 000014
【図１３】
2005198838.tif 000015
【図１４】
2005198838.tif 000016
【図１５】
2005198838.tif 000017